(57)【要約】      （修正有）【課題】近未来以後の地球環境の防護や宇宙開発を目標とする防護装置や開発装置を提供する。【解決手段】この製造装置（製作系）は、宇宙空間で帯状の薄鋼板を製造する装置に関し、材料供給用の材供装置及び製板・製枠用の加工装置は隣設して構成される。そして材供装置は、必要に応じてスラブ形成ブロックと、粗圧延ブロックと、仕上圧延ブロックとが形成され、各々にはスラブ形成機・粗圧延機・仕上圧延機等が組込まれている。これらの各ブロックは、地球上で製作され最適の重量配分でロケット本体の中に収容されて打上げられ、地球近傍の宇宙空間で（半）自動的に導出されて相互に組立結合して構成される。結合組立も専用の（半）自動組立機を備えた組立ロケットによって組立られる。【選択図】図４
2006213309.tif 000002
【特許請求の範囲】
【請求項１】
防護装置・防護開発装置の（反射）基地系集団の構成要素である（反射）基地系を製作するべく地球近傍の無重力の宇宙空間に配備される製造装置としての製作系（材供装置・加工装置・伸展装置・組立装置・制御装置・等を含む）の一部であって、  大型の略凹面鏡による凝集太陽光または核融合発電による電熱溶触機等によって鉄隕石上の融解された鉄隕石をかくはんするかくはん機等を含む融解機と、  該融解機によって融解された融解鋼を収集し加熱精練する精練機と、  該精練機から精練された精練鋼を各製板機の近傍に運搬して分配する分配機と、を含んで構成される材料供給用の材供装置と、  該分配機で分配された精練鋼を（連続）スラブに形成するスラブ機と、  該（連続）スラブを圧延する粗圧延機・仕上圧延機等で圧延し製板する製板機と、  該連続スラブを圧延して縦枠・横枠を形成する縦枠機・横枠機等の製枠機と、を含んで基地系の素である基地板を製作する加工装置と、  上記の各装置を制御する電子計算機のネットワークである制御装置と、を具備した防護開発装置の製造装置。
【請求項２】
前記製板機は、前記粗圧延機・仕上圧延機が地球上でほぼ組立され、あるいは打上げ時の最適の重量配分、打上げ後の最適の組立結合用に各々ブロックに構成され、必要な形態に組立結合される粗圧延ブロック・仕上圧延ブロックを具備した防護開発装置の製造装置。
【請求項３】
各圧延機の軸受や支持枠の適切な幅を見込みつつ、隣接配備された製板機との間に適切な諸種の作業も可能な作業間隙を備えて配備された上・下製板機と、  それらの前方であって縦枠を付設するべき間隔に相当する最適の作業間隙を挿通して遮光板の上（表）面に溶接されるべく配備された製枠用の縦枠機と、を具備した防護開発装置の製造装置。
【請求項４】
内空部に粗圧延機・仕上圧延機・縦枠機を各々装備した粗圧延ブロック・仕上圧延ブロック・縦枠ブロックを地球上からの打上時に重量が片寄らないようロケット本体の内部に装備され、打上後宇宙空間に（半）自動配備する配備機と、  配備された上記の各ブロックが宇宙空間で（半）自動的に強固に結合するための（半）自動結合機を装備した組立ロケットと、を具備した防護開発装置の製造装置。
【請求項５】
多数個の製板機・製枠機によって組立てられた製板機ブロック・縦枠機ブロック横枠機ブロックで製造された板厚が適度に厚く強度が適度に大きく基地板に似て製作された伸展台・組立台及び伸展補強台・組立補強台と、  それらを結合するよう地球上で製作されロケットで打上後結合される組立外凾と、  それらを宇宙空間で（半）自動的に強固に結合するための（半）自動結合機を装備した組立ロケットと、を具備した防護開発装置の製造装置。
【請求項６】
地球上で製作された製板用のスラブ形成ブロック・仕上圧延ブロック・縦枠ブロック・横枠ブロックがロケット本体の内空部に装備されて打上られる打上段階と、  打上後各ブロックがロケット本体の内空部から導出され最適の位置に配備される配備段階と、  配備された各ブロックが宇宙空間で（半）自動的に強固に結合される結合段階と、  結合された各ブロックから適厚の伸展台・組立台及び伸展補強台・組立補強台が製作され強固に結合される組立段階と、  組立された各ブロックによって基地板・基地系が製作される製作段階と、を具備した防護開発装置の製造装置の製造方法。
【発明の詳細な説明】
【技術分野】  本発明は防護開発装置の製造装置とその製造方法に関し、より詳しくは近未来以降に於る地球環境の防護を目標に（反射）基地系集団の開発を図りつつ、その間に於て製造装置で製作された上記集団は未来是非とも開発の必要が迫られた場合の惑星や衛星の開発を図らんとする基盤の提供を図るものである。［背景技術］  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように、地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って��陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人々を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球環境のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、数億年か��て生成された森林や土壌や地球独得の資源等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。  本発明は防護開発装置の製造装置とその製造方法に関し、より詳しくは近未来以降に於る地球環境の防護を目標に（反射）基地系集団の開発を図りつつ、その間に於て製造装置で製作された上記集団は未来是非とも開発の必要が迫られた場合の惑星や衛星の開発を図らんとする基盤の提供を図るものである。［発明の実施の形態］  以下、本発明の実施の形態を実施例・図面を参考にして具体的に説明する。本発明の（反射）基地系集団の構成要素である基地系は、材供装置・加工装置2006213309.tif 000003
ら基地系までを（略）自動連続工程によって一貫して製作される。このため、宇宙空間であっても効率的・省力的・経済的・計画的な製作が可能であると推定される。特に、加工装置はスラブ形成ブロック・粗圧延ブロック・仕上圧延ブロック等がブロックに構成されているので、必要に応じてこれらのブロックを加入することによりスラブ形成・粗圧延・仕上圧延等の工程が円滑に連続的・効率的に成される。また、これらのブロックはスラブ形成機・粗圧延機・仕上圧延機等が個々には組立されにくいが、まとまったブロックに構成されることによって、ロケット本体への収容・導出・組立固定等が（半）自動的に実行されることも可能になり、製作系の組立工程が効率的・省力的・経済的に行え、宇宙空間での組立が容易になる。スラブ形成機・粗圧延機・仕上圧延機は相当の重量を備えていても、地球からの打上時は支承枠とロールとを分離して重量配分を適確に行い、無重力の宇宙空間では導出前にロケット本体の内部で（半）自動組立機で略組立てた後に、（半）自動導出機によって導出し、宇宙空間ではブロック凾体のみを（半）自動組立機によって組立ればよいので製作系の組立も的確に効率的に・省力的に行えると推定される。各ブロックは外面に仮止具を備えれば宇宙空間で次々に仮止めした後に、横製枠機によって製枠された板厚を加減し強度の大きい横枠（連設枠）に固定すれば一挙に多数の製板製枠ブロックが構成される。また、この製板製枠ブロックと横枠機とによって適圧で強度の大きい基地板に似た伸展台、組立台及び伸展補強台・組立補強台も構成され、それらは地球上で製造された強度の大きいロケット本体又は組立外凾によって連結されれば宇宙空間ではこれらを（半）自動組立機を装備した組立ロケットで固定すればよいので無重力で何の足がかりも初期にはない初期に於ける製作系の組立を効率化できる。宇宙飛行士（宇宙組立員）が工具を手に持って固定する作業に比べれば格段に効率がよく省力的、経済的に基地系の製造装置である製作系を提供できると推定される。補強枠は、上記の縦枠は上記や図のように製板機の間に配備された縦枠機で製枠され製板と同じ速度で伸展されて遮光板の上側（宇宙空間では上も下もないが仮に上側とする）に連続的に溶接・スポット溶接される。補強枠のうち横枠は遮光板の下側に縦枠と略直角の方向に溶接またはスポット溶接される。横枠機は製板機群に対して略直角の方向に、例えば製板機群の端部の近傍に配備される。（図を参照のこと）横枠は製板機による製板が成され次第、縦枠と同様に応力が負荷される状況に応じて電子計算機で計算された配置及び間隔で製枠後に、製板の速度に合わせて移動する枠支持機で支承されつつ溶接またはスポット溶接される。横枠は縦枠が遮光板の上側であるのと対照的に下側に付設される。横枠は枠支持機に装備された溶接機で溶接またはスポット溶接される。2006213309.tif 000004
形成される枠状のものである。これらはまず帯状に製板された最適の厚みの枠板が折曲機によって連続的に折曲加工されて基片の両端から垂直片が曲加工され、その垂直片の両端から水平片が折曲加工される。補強枠はその基片が遮光板に付設され、水平片は強度保持と共に付属体（推進体・連携体・研摩体）の取付の機能を有する。特に推進体は相当の推進力が負荷されるので複数本の補強枠に相当の長さにわたる水平片にまず推進体の取付台が付され、この取付台に推進体が遠隔操作で自動取付、または自動分離されるよう構成される。推進体の取付部は無重力の宇宙空間とはいえ充分な強度が必要であると推定されるので、縦枠・横枠の一方のみで力不足の場合は遮光板に取付孔が自動的に形成され、双方の補強枠に取付られるよう構成する。推進体が取付台に自動取付・自動分離される構造は、現在の宇宙ステーション等におけるドッキング、または分離の構造が改良され採用されてもよい。（強度他が充分と仮定した場合）また取付台の補強枠への取付は自動的であることが望ましいので研究の余地がある。取付台は省略されて推進体が直接的にできれば全自動で補強枠に取付可能ならそれが良い。［発明の効果］  本発明は上記したように構成されているので、下記の効果があると推定される。（１〜５）（反射）基地系集団の構成要素である基地系は、材供装置・加工装置・伸縮装置・組立装置・制御装置・等を隣設して構成されているので鉄隕石から基地系までを（略）自動連続工程によって一貫して製作される。このため、宇宙空間であっても効率的・省力的・経済的・計画的な製作が可能であると推定される。特に、加工装置はスラブ形成ブロック・粗圧延ブロック・仕上圧延ブロック等がブロックに構成されているので、必要に応じてこれらのブロックを加入することによりスラブ形成・粗圧延・仕上圧延等の工程が円滑に連続的・効率的に成される。また、これらのブロックはスラグ形成機・粗圧延機・仕上圧延機等が個々には組立されにくいが、まとまったブロックに構成されることによって、ロケット本体への収容・導出・組立固定等が（半）自動的に実行されることも可能になり、製作系の組立工程が効率的・省力的・経済的に行え、宇宙空間での組立が容易になる。スラブ形成機・粗圧延機・仕上圧延機は相当の重量を備えていても、地球からの打上時は支承枠とロールとを分離して重量配分を適確に行い、無重力の宇宙空間では導出前にロケット本体の内部で（半）自動組立機で略組立てた後に、（半）自動導出機によって導出し、宇宙空間ではブロック凾体のみを（半）自動組立機によって組立ればよいので製作系の組立も的確に効率的・省力的に行えると推定される。各ブロックは外面に仮止具を備えれば宇宙空間で次々に仮止めした後に、横製枠機によって製枠された板厚を加減し強度の大きい横枠（連設枠）に固定すれば一挙に多数の製板製枠ブロックが構成される。また、この製板製枠ブロックと横枠機とによって圧で強度の大きい基地板に似た伸展台、組立台及び伸展補強台・組立補強台も構成され、それらは地球上で製造された強度の大きいロケット本体又は組立外凾によって連結されれば宇宙空間ではこれらを（半）自動組立機を装備した組立ロケットで固定すればよいので無重���で何の足がかりも初期にはない初期に於ける製作系の組立を効率化できる。宇宙飛行士（宇宙組立員）が工具を手に持って固定する作業に比べれば格段に効率がよく省力的、経済的に基地系の製造装置である製作系を提供できると推定される。
【図面の簡単な説明】
【図１】１９・２０世紀の環境・資源等の深刻な課題と２１世紀の予測を示す図、
【図２】代表的な地球規模の課題の過去の経過と未来の予測を示す図、
【図３】本発明防護開発装置の電子計算機（制御装置）のネットワークを示す図、
【図４】本発明防護開発装置の製造装置の一実施例を示す図、
【図５】同上製造装置の横面図を示す図、
【図６】同上製造装置の側面図を示す図、
【図７】同上製造装置で製造された基地系の一実施例を示す図、
【図８】基地系の集合である中ブロックの一実施例を示す図、
【図９】中ブロックの集合である大ブロックと基地系集団の一実施例を示す図である。
【符号の説明】
【図１】
2006213309.tif 000005
【図２】
2006213309.tif 000006
【図３】
2006213309.tif 000007
【図４】
2006213309.tif 000008
【図５】
2006213309.tif 000009
【図６】
2006213309.tif 000010
【図７】
2006213309.tif 000011
【図８】
2006213309.tif 000012
【図９】
2006213309.tif 000013